(57)【要約】【課題】部品点数が少なく且つ組立て容易なレンズフードを提供すること。【解決手段】レンズ鏡筒の先端部に周方向に沿って形成された複数のバヨネット爪とフランジ部の間に入り込む内周突起を有し、回転させることで前記レンズ鏡筒に着脱可能で光軸周りの回転を規制するロック機構を有するレンズフードにおいて、前記ロック機構はフードベースとフードカバーに挟持されるロックレバー、および前記フードカバーと前記ロックレバーの間で付勢力を発生させるトーションバネにより構成され、前記ロックレバーの先端部が前記トーションバネの付勢力により前記バヨネット爪の端部に突き当たり光軸周りの回転規制とガタつき防止を行い、前記フードカバーは前記ロックレバーを前記フードベースと挟持している際に前記トーションバネの腕部が当接する当接面、および前記ロックレバーを前記フードベースと挟持する際に前記トーションバネの腕部が当接する斜面部を有することを特徴とする。【選択図】図１
2016109944.tif 000002
【特許請求の範囲】
【請求項１】
レンズ鏡筒の先端部に周方向に沿って形成された複数のバヨネット爪とフランジ部の間に入り込む内周突起を有し、
回転させることにより前記レンズ鏡筒に着脱可能で光軸周りの回転を規制するロック機構を有するレンズフードにおいて、
前記ロック機構はフードベースとフードカバーに挟持されるロックレバー、および前記フードカバーと前記ロックレバーの間で付勢力を発生させるトーションバネにより構成され、
前記ロックレバーの先端部が前記トーションバネの付勢力により前記バヨネット爪の端部に突き当たることで光軸周りの回転規制とガタつき防止を行い、
前記フードカバーは前記ロックレバーを前記フードベースと挟持している際に前記トーションバネの腕部が当接する当接面、および前記ロックレバーを前記フードベースと挟持する際に前記トーションバネの腕部が当接する斜面部を有することを特徴とするレンズフード。
【請求項２】
前記フードベースは前記レンズ鏡筒の先端部に装着されるレンズアクセサリを操作するための第１の開口部が設けられ、
前記フードカバーは前記レンズアクセサリを操作するための第２の開口部が設けられ、
前記フードベースに設けられた第１レール部と、
前記フードカバーに設けられた第２レール部との間を摺動することで、
前記第１および第２の開口部を塞いだ状態である第１の位置から前記第１および第２の開口部を開いた状態である第２の位置まで移動可能に支持された蓋部材を有することを特徴とする請求項１に記載のレンズフード。 
【請求項３】
前記ロックレバーは前記ロックレバーに対し前記トーションバネを組み込んだ際に前記トーションバネの腕部が当接する引っ掛け部を有することを特徴とする請求項１に記載のレンズフード。
【発明の詳細な説明】
【技術分野】
【０００１】
本発明は、レンズ鏡筒に装着可能なレンズフードに関する。
【背景技術】
【０００２】
従来、カメラレンズではフレアやゴーストの原因となる撮影画角外からの不要光を遮断するために、レンズ鏡筒の先端部にレンズフードが装着される。レンズフードは、レンズ鏡筒に対して容易に着脱可能であることが望ましい。また、レンズ鏡筒に装着時にレンズフードとの間にガタつきが生じると使用感を損なうという問題がある。
【０００３】
特許文献１に記載のレンズフードは、レンズ鏡筒の全面に周方向に回動されることにより、レンズ鏡筒の全面に形成されたガイド壁に摺動されるガイド凹部と、レンズ鏡筒の全面に形成された係合凹部に対して係脱操作される係合凸部と、レンズ鏡筒との係合位置においてガイド壁の端面を周方向に向かって付勢する付勢部材とを備えるものである。
【先行技術文献】
【特許文献】
【０００４】
【特許文献１】特開２００９−６３７７４号公報
【発明の概要】
【発明が解決しようとする課題】
【０００５】
特許文献１のレンズフードでは、着脱のための規制としての係合凸部と、周方向のガタを抑えるための付勢部材とが別部品により構成されており、部品点数が多くなってしまう。
【０００６】
上記課題に対して、着脱のための規制および周方向のガタを抑えるためにロックレバーという部品とトーションバネの付勢力によるひとつの構成により達成するレンズフードがある。円筒形状であるレンズフードにおいては省スペースに有利であるトーションバネを用いることが好ましい。前記ロックレバーはフードカバーおよびフードベースという２つの部品により挟持されるが、前記トーションバネは前記ロックレバーと前記フードカバーあるいはフードベースとの間で付勢力を発生させる必要があり、組立時に付勢力が発生している状態となるため組立性が低いという課題がある。
【０００７】
本発明の目的は、部品点数が少なく且つ組立て容易なレンズフードを提供することにある。
【課題を解決するための手段】
【０００８】
上記目的を達成するために、本発明は、レンズ鏡筒の先端部に周方向に沿って形成された複数のバヨネット爪とフランジ部の間に入り込む内周突起を有し、回転させることにより前記レンズ鏡筒に着脱可能で光軸周りの回転を規制するロック機構を有するレンズフードにおいて、前記ロック機構はフードベースとフードカバーに挟持されるロックレバー、および前記フードカバーと前記ロックレバーの間で付勢力を発生させるトーションバネにより構成され、前記ロックレバーの先端部が前記トーションバネの付勢力により前記バヨネット爪の端部に突き当たることで光軸周りの回転規制とガタつき防止を行い、前記フードカバーは前記ロックレバーを前記フードベースと挟持している際に前記トーションバネの腕部が当接する当接面、および前記ロックレバーを前記フードベースと挟持する際に前記トーションバネの腕部が当接する斜面部を有することを特徴とする。
【発明の効果】
【０００９】
本発明によれば、部品点数が少なく且つ組立て容易なレンズフードの提供を実現できる。
【図面の簡単な説明】
【００１０】
【図１】本発明の実施形態のフードカバー組込み時のトーションバネ腕部断面図
【図２】本発明の実施形態のロックレバー軸部断面図
【図３】本発明の実施形態の装着時のロックレバー部の正面図
【図４】本発明の実施形態のロックレバーにトーションバネ組み込み時の斜視図
【図５】本発明の実施形態のフードカバーの斜視図
【図６】本発明の実施形態のレンズフード窓開口状態での装着時の断面図
【図７】本発明の実施形態のレンズフード窓閉口状態での装着時の断面図
【図８】本発明の実施形態のレンズフード窓開口状態での装着時の斜視図
【図９】本発明の実施形態のレンズフードの逆付け装着時の断面図
【図１０】本発明の実施形態のレンズフードの分解斜視図
【図１１】本発明の実施形態のレンズフードの分解斜視図
【図１２】本発明の実施形態のフード窓の斜視図
【図１３】本発明の実施形態のレンズフードの正面図と背面図
【図１４】本発明の実施形態のレンズフードのレール構造の断面図
【図１５】本発明の実施形態のレンズフード窓開口状態の断面図
【発明を実施するための形態】
【００１１】
以下に、本発明の好ましい実施の形態を、添付の図面に基づいて詳細に説明する。
【００１２】
本発明に係るレンズフードの実施形態について説明する。図１０は実施形態のレンズフードの分解斜視図である。図１１は図１０の分解斜視図に対して光軸周りに１８０度回転した方向から見た分解斜視図である。図１０、１１で示すようにレンズフード１０は、フードベース１００、フードカバー２００、フード窓３００、ロックレバー４００、トーションバネ４０１、締結ビス５００により構成される。
【００１３】
図６〜８に示すように、レンズフード１０はレンズ鏡筒２０が備えるレンズ先端部２１に装着可能で、フード窓３００を移動させることで開口部１１が閉じた状態（以降は閉口状態と記載）、開いた状態（以降は開口状態と記載）に変更可能に構成されている。レンズフード１０を構成する各部材について、以下に説明する。
【００１４】
ここで、図１２は本実施形態のフード窓の斜視図であり、図１２（ａ）は下面斜視図、図１２（ｂ）は上面斜視図である。図１３は本実施形態のレンズフードを図５に示すＡ方向から見た正面図である図１３（ａ）と図１０に示すＥ方向から見た背面図である図１３（ｂ）である。図１４は図１３中で示すＢ−Ｂ断面の断面図であり、図１４（ａ）は窓閉口時、図１４（ｂ）は窓開口時の断面図である。図１５は図１３中で示すＣ−Ｃ断面の断面図であり、窓開口時の断面図である。図３はレンズ鏡筒にレンズフードを装着した際のロックレバー部の正面図である。
【００１５】
フードベース１００は、レンズ鏡筒２０の先端部２１に形成されているバヨネット溝２１ａに係合するバヨネット爪１０１を有しており、バヨネット爪１０１がバヨネット溝２１ａに係合することでレンズフード１０はレンズ鏡筒２０に装着される。フードベース１００はレンズ鏡筒２０への不要光の入射を遮断するために円筒形状の部材である。また、フードベース１００は開口部１０２、第１レール部１０３、閉口ストッパー部１０４、係合溝１０５、凸形状部１０６およびロックレバー４００の軸部４０２が嵌る軸穴を有している。
【００１６】
フードカバー２００は、図９に示すようにレンズフード１０をレンズ鏡筒２０に逆付けする際にバヨネット溝２１ａに係合するバヨネット爪２０１を有する。また、フードカバー２００は第２レール部２０２、開口部２０３、係合爪２０４、およびロックレバー４００の軸部４０３が嵌る軸穴を有している。
【００１７】
フード窓３００は、摺動部３０１ａ、３０１ｂ、当接部３０２、当接部３０３、板バネ部３０４、および凸形状部３０５を有する。ロックレバー４００は、フードベース１００に形成された軸穴１０７に嵌る軸部４０２およびフードカバー２００に形成された軸穴２０５に嵌る軸部４０３を有し、フード１００とフードカバー２００に挟みこまれるように支持されている。また、ロックレバー４００は操作部４０８を有する。
【００１８】
トーションバネ４０１は、ロックレバー４００の軸部４０３に嵌り、ロックレバー４００とフードカバー２００との間で図３中に示すような光軸中心方向に付勢力Iを発生させるように取り付けられる。トーションバネ４０１による付勢力Ｉによりロックレバー４００の先端部４０４あるいは先端部４０５がレンズ先端２１に形成されたバヨネット爪２１ｂの端部２１ｃに突き当たることでレンズフード１０の光軸周りの回転の規制および回転方向のガタを抑制する。フード１０をレンズ鏡筒２０に正方向に取り付けた際には先端部４０５が突当り、逆方向に取り付けた際には先端部４０４が突当る。
【００１９】
ロックレバー４００の操作部４０８を押し込むことでロックレバー４００は軸部４０２および軸部４０３を中心に回転し端部２１ｃへの突当りを解除することができる。締結ビス５００によりフードカバー２００がフードベース１００に対して固定される。
【００２０】
フードベース１００の開口部１０２はフード窓３００が閉口状態位置から開口状態位置の間を光軸方向に移動する際に干渉しないように形成されている。第１レール部１０３はフード窓３００の摺動部３０１ａが閉口状態位置から開口状態位置の間を摺動可能なように光軸方向の長さが設定されている。閉口ストッパー部１０４は閉口時にフード窓３００の当接部３０２が当接するように形成されており、閉口時のフード窓３００の端位置を決める。係合溝１０５はフードカバー２００が有する係合爪２０４と係合するように形成されており、フードカバー２００を光軸直交方向に支持する。
【００２１】
フードカバー２００の開口部２０３はフード窓３００が有する当接部３０３が閉口状態から開口状態の間で干渉しないように形成されている。但し、開口部２０３に設けられた開口ストッパー部２０３ａは、開口時にフード窓３００の当接部３０３が当接するように形成されており、開口時のフード窓３００の端位置を決める。第２レール部２０２はフード窓３００の摺動部３０１ｂが閉口状態位置から開口状態位置の間を摺動可能なように光軸方向の長さが設定されている。閉口状態では第２レール部２０２に形成された閉口クリック溝２０２ａにフード窓３００の板バネ部３０４が嵌る。
【００２２】
これにより、閉口状態位置に窓部材３００を移動させる際、および閉口状態位置から窓部材３００を移動させる際のクリック感を発生させる。また、開口状態では第２レール部２０２に形成された開口クリック溝２０２ｂにフード窓３００の板バネ部３０４が嵌る。これにより、開口状態位置に窓部材３００を移動させる際、および開口状態位置から窓部材３００を移動させる際のクリック感を発生させる。このようなクリック構造によりレンズフード１０に軽度な衝撃が加わった場合でも、フード窓３００が閉口状態あるいは開口状態から不用意に移動することがない。
【００２３】
フード窓３００は先述したようにフードベース１００が有する第１レール部１０３に対して光軸方向に摺動可能に形成された摺動部３０１ａ、フードカバー２００が有する第２レール部２０２に対して光軸方向に摺動可能に形成された摺動部３０１ｂを有している。つまり、フード窓３００はフードベース１００とフードカバー２００により構成されたレール構造部により光軸方向に移動可能に支持されている。
【００２４】
また、フード窓３００はフードベース１００に形成された開口部１０２およびフードカバー２００に形成された開口部２０３を塞ぐような板状片である。したがって、フード窓３００を光軸方向に移動することで開口部１０２、開口部２０３およびフード窓３００により形成される開口部１１を開いたり、閉じたりすることができる。図ｘ４に示すように、回転効果フィルタ３０を未操作時には開口部１１を閉じることでレンズ鏡筒２０への不要光の入射を遮断できる。また、図６、８に示すように開口部１１を開くことで開口部１１から指先などで回転効果フィルタ３０を容易に操作可能となる。
【００２５】
加えて、フード窓３００には凸形状部３０５が形成されており、光軸方向あるいは光軸周り方向にレンズフード１０を見たときにフードベース１００に形成された凸形状部１０６とオーバーラップするように構成されている。これによりフードベース１００とフード窓３００の間で生じる隙間を塞ぐことができ、レンズフード１０が閉口状態においてより確実にレンズ鏡筒２０への不要光の入射を遮断することができる。
【００２６】
次に本実施例のレンズフード１０のロックレバー４００およびトーションバネ４０１の組み込みについて詳細に説明する。
【００２７】
ここで、図１は図１３中に示すＧ−Ｇ断面の断面図であり、図１（ａ）はフードカバー２００を組み込む際の断面図であり、図１（ｂ）はフードカバー２００を組み込んだ後の断面図である。図２は図１３中に示すＦ−Ｆ断面の断面図である。図４はロックレバー４００にトーションバネ４０１を組み込んだ際の斜視図である。図５はフードカバー２００の斜視図である。図４に示すように、トーションバネ４０１は腕部４０１ａ、引っ掛け部４０１ｂおよび引っ掛け部４０１ｃを持つ。
【００２８】
最初にトーションバネ４０１はロックレバー４００に設けられた軸部４０３に嵌るように組み込まれる。トーションバネ４０１の引っ掛け部４０１ｂはロックレバー４００に設けられた引っ掛け穴４０６に引っ掛けられる。また、腕部４０１ａはロックレバー４００に設けられた仮引っ掛け部４０７に引っ掛けられる。
【００２９】
次に、トーションバネ４０１が組み込まれたロックレバー４００の軸部４０２をフードベース１００の軸穴１０７に嵌め込む。その際に、フード窓３００も開口部１０２に組み込む。仮引っ掛け部４０７に引っ掛けられる構成とすることでトーションバネ４０１の腕部４０１ａが干渉しないようにフードベース１００に逃がし形状を設けるスペースを少なくできるので好ましいが、仮引っ掛け部４０７は無くても良い。
【００３０】
次に、図１（ａ）に示すようにフードカバー２００をフードベース１００に対してＤ方向にまっすぐ組み込む。その際ロックレバー４００の腕部４０１ａは、まずフードカバー２００に設けられた斜面部２０６に当接する。その後、フードカバー２００がＤ方向に組み込まれることで腕部４０１ａは図１（ａ）中に示す矢印Ｈの軌跡をたどって図１（ｂ）に示すように当接部２０７に当接する。腕部４０１ａが当接部２０７に当接することでロックレバー４００は図３中に示すようにＩ方向に付勢される。図１（ｂ）の位置までフードカバー２００を組み込んだ後は締結ビス５００によりフードベース１００に対して固定される。
【００３１】
フードカバー２００が組み込まれ後は図２に示すようにロックレバー４００の軸部４０３はフードカバー２００の軸穴２０５に嵌る。また、引っ掛け部４０１ｃは引っ掛け穴２０８に挿入される。この引っ掛け部４０１ｃは引っ掛け穴２０８に挿入されることで腕部４０１ａが当接部２０７に正しく当接しているかどうかの確認のために設けているが、引っ掛け部４０１ｃおよび引っ掛け穴２０８は無くても良い。
【００３２】
本実施形態によれば、ロックレバー４００およびトーションバネ４０１をフードベース１００に組み込む際には付勢力が発生しない。ロックレバー４００はフードベース１００に対してフードカバー２００が組み込みするまではトーションバネ４０１により付勢されることがない。付勢力Ｉが発生している時点ではロックレバー４００の軸部４０２、４０３がそれぞれフードベース１００の軸穴１０７、フードカバー２００の軸穴２０５に嵌っている。
【００３３】
つまり、フードベース１００とフードベース２００によりロックレバー４００およびトーションバネ４０１が挟持されるまではトーションバネ４０１による付勢力が発生しないため組み込み容易である。また、本実施形態で示した構成のフード窓３００を有する場合にはフードカバー２００は複雑な組み込み方はできず、図１に示すＤ方向にのみ組み込み可能であるためより有用である。
【００３４】
以上、本発明の好ましい実施形態について説明したが、本発明はこれらの実施形態に限定されず、その要旨の範囲内で種々の変形及び変更が可能である。
【００３５】
以上のように、本発明に関わるレンズフードは部品点数が少なく且つ組立て容易である。したがって、レンズフードを装着可能なレンズ鏡筒に有用である。
【符号の説明】
【００３６】
１０  レンズフード、２０  レンズ鏡筒、３０  回転効果フィルタ、
４０  レンズフード、１００  フードベース、１０１  バヨネット爪、１０２  開口部、
１０３  第１レール部、１０４  閉口ストッパー部、１０５  係合溝、
１０６  凸形状部、１０７  軸穴、２００  フードカバー、２０１  バヨネット爪、
２０２  第２レール部、２０２ａ  閉口クリック溝、２０２ｂ  開口クリック溝、
２０３  開口部、２０３ａ  開口ストッパー部、２０４  係合爪、２０５  軸穴、
２０６  斜面部、２０７  当接部、２０８  引っ掛け穴、３００  フード窓、
３０１ａ  摺動部、３０１ｂ  摺動部、３０２  当接部、３０３  当接部、
３０４  板バネ部、３０５  凸形状部、４００  ロックレバー、
４０１  トーションバネ、４０１ａ  腕部、４０１ｂ  引っ掛け部、
４０１ｃ  引っ掛け部、４０２  軸部、４０３  軸部、４０４  先端部、
４０５  先端部、４０６  引っ掛け穴、４０７  仮引っ掛け部、４０８  操作部、
５００  締結ビス
【図１】
2016109944.tif 000003
【図２】
2016109944.tif 000004
【図３】
2016109944.tif 000005
【図４】
2016109944.tif 000006
【図５】
2016109944.tif 000007
【図６】
2016109944.tif 000008
【図７】
2016109944.tif 000009
【図８】
2016109944.tif 000010
【図９】
2016109944.tif 000011
【図１０】
2016109944.tif 000012
【図１１】
2016109944.tif 000013
【図１２】
2016109944.tif 000014
【図１３】
2016109944.tif 000015
【図１４】
2016109944.tif 000016
【図１５】
2016109944.tif 000017